(57)【要約】【課題】レーザ光のポイント位置を補正し投影面上におけるレーザスポットの急激な移動を緩和する。【解決手段】使用者が手に持って使用できるよう、例えば、ペン型の外筐体（図示しない。）を有し、スクリーン３０に対して不可視光を照射する不可視光照射部１１を有する指示装置１０と、スクリーン３０に照射された不可視光の照射位置を検出する不可視光検出部２１と、不可視光検出部２１にて検出された照射位置の変化量を補正する補正部２２と、補正部２２により補正された補正位置にレーザ光スポットを照射するレーザ光照射部２３とを有するポインタ２０とを備えることにより、使用者の手ぶれによるレーザスポットの投影面上での変位を補正し投影面上におけるレーザスポット位置の急激な移動を緩和する。【選択図】  図１
2004309863.tif 000002
【特許請求の範囲】
【請求項１】
指示対象に対して不可視光を照射する不可視光照射手段を有する指示装置と、
上記指示対象に照射された不可視光の照射位置を検出する不可視光検出手段と、
上記不可視光検出手段にて検出された照射位置の変化量を補正する補正手段と、
上記補正手段により補正された補正位置にレーザ光を照射するレーザ光照射手段とを有するスポット照射装置と
を備えることを特徴とする投射型表示指示システム。
【請求項２】
上記補正手段は、上記照射位置のうち変化量が最小の領域を補正位置とすることを特徴とする請求項１記載の投射型表示指示システム。
【発明の詳細な説明】
【０００１】
【発明の属する技術分野】
本発明は、投射型表示指示システムに関し、特に、レーザ光を用いて表示スクリーン上の所定位置を指示する投射型表示指示システムに関する。
【０００２】
【従来の技術】
レーザポインタは、可視レーザ光を投影面に投影する装置であって、主に、プレゼンテーション等で投影面、若しくは標示物上の図や表を指示する際に用いられる。
【０００３】
指示対象となる図や表が、例えばプロジェクタによって投影面に表示される場合、プロジェクタからの画像の投射角度やプロジェクタとスクリーンとの相対的な位置関係等に起因して、本来スクリーン上に投影される画像が歪んでしまうことがある。これに対して、この投影画像の歪みやポインティング位置を補正する技術が提案されている（例えば、特許文献１参照。）。
【０００４】
【特許文献１】
特開２００１−１２５７３７
【０００５】
【発明が解決しようとする課題】
ところが、使用者は、レーザポインタを手に持って使用するため、従来のレーザポインタは、使用者の手ぶれにより、レーザ光照射ポイント（以下、レーザスポットと記す。）が投影面上で変位してしまう。手ぶれによるレーザスポットの微妙な変位は、使用者と投影面との距離に比例するため、投影面上でレーザスポットが不要に動き、投影面を視る者に対して不快感を与えることがあった。なお、特許文献１では、棒状のポインティング手段として記されているが、ポインティング位置を検出してその位置にカーソルを表示する制御が説明されているのみである。
【０００６】
そこで本発明は、上述のような課題に鑑みてなされたものであり、レーザスポットの位置を補正し、投影面上におけるレーザスポットの急激な移動を緩和する投射型表示指示システムを提供することを目的とする。
【０００７】
【課題を解決するための手段】
上述の目的を達成するために、本発明に係る投射型表示指示システムは、指示対象に対して不可視光を照射する不可視光照射手段を有する指示装置と、指示対象に照射された不可視光の照射位置を検出する不可視光検出手段と、不可視光検出手段にて検出された照射位置の変化量を補正する補正手段と、補正手段により補正された補正位置にレーザ光を照射するレーザ光照射手段とを有するスポット照射装置とを備える。
【０００８】
ここで、補正手段は、照射位置のうち変化量が最小の領域を補正位置とする。
【０００９】
【発明の実施の形態】
本発明に係る投射型表示指示システムは、主としてプレゼンテーション等に使用される指示棒、従来でいうレーザポインタ等に相当するものであって、使用者が指示装置を用いて、スクリーン等に表示された指示対象に対して不可視光を照射すると、スポット照射装置にてこの不可視光が照射された領域を検出し、不可視光領域の変化量を補正した補正位置に対して改めて可視レーザ光により指示スポットを照射することによって、指示装置を持つ使用者の手ぶれ等による指示スポットのぶれや揺らぎを軽減した表示指示システムである。
【００１０】
以下、本発明の具体例を図面を用いて詳細に説明する。
【００１１】
本発明の具体例として示す投射型表示指示システム１は、スクリーン３０に対して不可視光を照射する不可視光照射部１１を有する指示装置１０と、指示装置１０からの不可視光を検出し、レーザ光を照射するポインタ２０からなる。
【００１２】
指示装置１０は、使用者が手に持って使用できるよう、例えば、ペン型の外筐体（図示しない。）を有しており、不可視光を図１に示すように、不可視光を照射する不可視光照射部１１を備えている。不可視光照射部１１は、例えば、押しボタンスイッチ等により不可視光の照射のオンオフが切り換えられるようになっている。また、不可視光は投影面を見ている者に対して、見えない／見え辛い光であれば可視光線であっても良い。
【００１３】
ポインタ２０は、スクリーン３０に照射された不可視光の照射位置を検出する不可視光検出部２１と、不可視光検出部２１にて検出された照射位置の変化量を補正する補正部２２と、補正部２２により補正された補正位置にレーザ光スポットを照射するレーザ光照射部２３とを有する。これらは、図示しないＣＰＵにより統括制御されている。
【００１４】
不可視光検出部２１は、スクリーン３０からの不可視光の戻り光を検出している。補正部２２は、不可視光の照射位置のうち変化量が最小の領域を補正位置としている。
【００１５】
使用者が指示装置１０を手にしてスクリーン３０上に不可視光を照射すると、不可視光が照射されている位置にポインタ２０からレーザ光スポットが照射される。このとき、指示装置１０から照射される不可視光の手ぶれは、補正部２２によって補正されるため、従来、手ぶれによって生じたスポット位置のぶれや揺らぎ変化を緩和することができる。
【００１６】
また、ここでポインタ２０のレーザ光照射部２３にマスクをかけたり、レーザ光を反射する振動板を組み込めば、レーザ光スポットの形状を変更できる。
【００１７】
【発明の効果】
以上詳細に説明したように、本発明に係る投射型表示指示システムは、指示対象に対して不可視光を照射する不可視光照射手段を有する指示装置と、指示対象に照射された不可視光の照射位置を検出する不可視光検出手段と、不可視光検出手段にて検出された照射位置の変化量を補正する補正手段と、補正手段により補正された補正位置にレーザ光を照射するレーザ光照射手段とを有するスポット照射装置とを備えることにより、使用者の手ぶれによるレーザスポットの投影面上での変位が補正され、投影面上におけるレーザスポット位置の急激な移動が緩和される。
【００１８】
したがって、本発明に係る投射型表示指示システムによれば、レーザスポットが投影面上で不要に動くことにより投影面を視る者に対して与える不快感を払拭できる。
【図面の簡単な説明】
【図１】本発明の具体例として示す投射型表示指示システムを説明する構成図である。
【符号の説明】
１        投射型表示指示システム
１０      指示装置
１１      不可視光照射部
２０      ポインタ
２１      不可視光検出部
２２      補正部
２３      レーザ光照射部
【図１】
2004309863.tif 000003